(57)【要約】【課題】  光触媒を用いて水に溶け込んだ有害化学物質や有機物を分解して無害化し、ウィルスなどを殺菌する水処理装置に関し、光触媒担持体の両面に太陽光の紫外線が当たり分解の効率が高い装置を提供する。【解決手段】  光触媒担持体15の表面を流下する被処理水Ｗを光触媒担持体15の両側または両側と内部を流下する薄い液膜の濡れ壁状とし、その光触媒担持体15の一側を太陽光31の直射を受ける面とし、光触媒担持体15のもう一側を反射鏡21，22，23により太陽光31の反射光32を受ける面とした。【選択図】        【図１】
2006000688.tif 000002
【特許請求の範囲】
【請求項１】
ほぼ垂直に設けた光触媒を坦持した光触媒坦持体の表面を流下する被処理水と、光触媒を励起する太陽光とによる水処理装置において、光触媒坦持体の表面を流下する被処理水を光触媒坦持体の両側または両側と内部を流下する薄い液膜の濡れ壁状とし、その光触媒坦持体の一側を太陽光の直射を受ける面とし、光触媒坦持体のもう一側を反射鏡により太陽光の反射光を受ける面とした太陽光を用いた水処理装置。
【請求項２】
垂直方向を軸芯として自由に回転する回転台上に光触媒坦持体と反射鏡を設け、太陽光の直射を受ける光触媒坦持体の面を太陽の方位に一致させるよう回転台を水平方向に回転させ、反射鏡は水平方向を軸芯として自由に回転するよう支持し、太陽光の入射角と光触媒坦持体の位置とに合わせて反射光が光触媒坦持体に当たるよう反射鏡を上下方向に回転させる請求項１記載の太陽光を用いた水処理装置。
【発明の詳細な説明】
【技術分野】
【０００１】
本発明は、光触媒を用いて水に溶け込んだ有害化学物質や有機物を分解して無害化し、ウィルスなどを殺菌する水処理装置に関し、特に光触媒坦持体とその光触媒を励起する紫外線光源としての太陽光の配置に関する。
【背景技術】
【０００２】
従来、酸化チタンなどの光触媒に太陽光の紫外線を当てて励起させてＯＨラジカルを生成し、その活性化した光触媒に被処理水を接触させて汚染物質を分解し、無害化や殺菌をする水処理装置は知られている。
【０００３】
太陽光の紫外線を利用するものは、紫外線光源（ブラックライト、水銀灯など）を利用するものに比べ、電気代が少なくランニングコストが安くなり、大量の水を浄化するのに適している。
【０００４】
そのような水処理装置では、被処理水の層が厚いと、紫外線が被処理水に吸収されて光触媒に届きにくくなるため、被処理水を薄い液膜として流すようにして、太陽の紫外線が光触媒まで届くようにしたものが知られている。
【０００５】
例えば、特開平６−１８２３６３号公報には、酸化チタンを表面に有する水平方向の排水受部内に排水を入れ、日光などの波動エネルギーを有する電磁波を照射する技術が示されている。
【特許文献１】特開平６−１８２３６３号公報
【発明の開示】
【発明が解決しようとする課題】
【０００６】
前記、特開平６−１８２３６３号公報に示される技術では、水平方向の排水受部で水処理しようとするものであり、より多くの水を処理しようとすると、それだけ広い面積の設置場所を必要とする。
【０００７】
また、単なる平板に光触媒を塗布したものより、セラミックス質の多孔性基材の坦持体に光触媒を坦持させた方が表面積も大きく、被処理水が光触媒に接触する機会も増えるが、そのような多孔性基材の光触媒坦持体のように所定の厚みがあるものに一側から太陽光を当てても奥まで届かず、光触媒が充分に励起されない。
【０００８】
そこで本発明は、設置場所の面積を多く必要とせず、光触媒坦持体の両面に太陽光の紫外線が当たり分解の効率が高い、太陽光を用いた水処理装置を提供することを目的とする。
【課題を解決するための手段】
【０００９】
請求項１の発明による太陽光を用いた水処理装置は、ほぼ垂直に設けた光触媒を坦持した光触媒坦持体15の表面を流下する被処理水Ｗと、光触媒を励起する太陽光31とによる水処理装置１において、光触媒坦持体15の表面を流下する被処理水Ｗを光触媒坦持体15の両側または両側と内部を流下する薄い液膜の濡れ壁状とし、その光触媒坦持体15の一側を太陽光31の直射を受ける面とし、光触媒坦持体15のもう一側を反射鏡21，22，23により太陽光31の反射光32を受ける面としたものである。
【００１０】
請求項２の発明による太陽光を用いた水処理装置は、垂直方向を軸芯４として自由に回転する回転台３上に光触媒坦持体15と反射鏡21，22，23を設け、太陽光31の直射を受ける光触媒坦持体15の面を太陽の方位に一致させるよう回転台３を水平方向に回転させ、反射鏡21，22，23は水平方向を軸芯25，27，29として自由に回転するよう支持し、太陽光31の入射角と光触媒坦持体15の位置とに合わせて反射光32が光触媒坦持体15に当たるよう反射鏡21，22，23を上下方向に回転させるものである。
【発明の効果】
【００１１】
請求項１の発明によれば、ほぼ垂直に設けた光触媒を坦持した光触媒坦持体15の表面を流下する被処理水Ｗと、光触媒を励起する太陽光31とによる水処理装置１において、光触媒坦持体15の表面を流下する被処理水Ｗを光触媒坦持体15の両側または両側と内部を流下する薄い液膜の濡れ壁状としたから、平面視の面積が小さくなり、装置の設置場所の面積を多く必要としない。
【００１２】
また、光触媒坦持体15の表面を流下する被処理水Ｗを光触媒坦持体15の両側または両側と内部を流下する薄い液膜の濡れ壁状とし、その光触媒坦持体15の一側を太陽光31の直射を受ける面とし、光触媒坦持体15のもう一側を反射鏡21，22，23により太陽光31の反射光32を受ける面としたから、光触媒坦持体15の両面に太陽光31の紫外線が当たり、汚染物質の分解の効率が高くなる。
【００１３】
請求項２の発明によれば、垂直方向を軸芯４として自由に回転する回転台３上に光触媒坦持体15と反射鏡21，22，23を設け、太陽光31の直射を受ける光触媒坦持体15の面を太陽の方位に一致させるよう回転台３を水平方向に回転させ、反射鏡21，22，23は水平方向を軸芯25，27，29として自由に回転するよう支持し、太陽光31の入射角と光触媒坦持体15の位置とに合わせて反射光32が光触媒坦持体15に当たるよう反射鏡21，22，23を上下方向に回転させるから、太陽が昇ってから沈むまでより多くの紫外線を利用でき、汚染物質の分解処理量を多くできる。
【発明を実施するための最良の形態】
【００１４】
設置場所の面積を多く必要とせず、光触媒坦持体15の両面に太陽光31の紫外線が当たり分解の効率が高い、太陽光31を用いた水処理装置１を提供するという目的を、ほぼ垂直に設けた光触媒を坦持した光触媒坦持体15の表面を流下する被処理水Ｗと、光触媒を励起する太陽光31とによる水処理装置１において、光触媒坦持体15の表面を流下する被処理水Ｗを光触媒坦持体15の両側または両側と内部を流下する薄い液膜の濡れ壁状とし、その光触媒坦持体15の一側を太陽光31の直射を受ける面とし、光触媒坦持体15のもう一側を反射鏡21，22，23により太陽光31の反射光32を受ける面として実現した。
【実施例１】
【００１５】
図１は、本発明の一実施例に係る水処理装置１の正面図であって、水処理装置１には装置基部の基台２と、基台２の上に回転台３を設け、回転台３上に光触媒坦持体15と反射鏡群20を設ける。
【００１６】
基台２の一側上に垂直方向の軸芯４を設け、回転台３は軸芯４に取り付けられ、軸芯４を中心として水平方向に自由に回転する。基台２のもう一側上に複数の受け輪５を設け、受け輪５は回転台３の水平方向への回転を妨げないよう回転して支持する。
【００１７】
回転台３上であって、軸芯４の延長線６上にメインタンク12を設け、メインタンク12には給水ポンプ11により被処理水Ｗが軸芯４の延長線６上から供給される。なお、給水ポンプ11の作動は、メインタンク12の水位により作動するレベルスイッチにより、自動的にＯＮ，ＯＦＦする。
【００１８】
メインタンク12に連設して定量給送ポンプ13を設け、メインタンク12の上方に水平方向に細長いシュートタンク14を設け、定量給送ポンプ13はメインタンク12から上方のシュートタンク14に定量の被処理水Ｗを送る。
【００１９】
光触媒坦持体15は、メインタンク12上からシュートタンク14にかけてほぼ垂直に設けられた方形の板壁状のものであり、シュートタンク14は光触媒坦持体15の上部に位置し、シュートタンク14の被処理水Ｗはそのシュートにより光触媒坦持体15の上部に注がれ、光触媒坦持体15の表面を流下する。
【００２０】
光触媒坦持体15は、セラミックス質の多孔性基材の坦持体に酸化チタンなどの光触媒（光反応性半導体）を坦持させた、所定の厚みがあり硬質のものである。被処理水Ｗは光触媒坦持体15の多孔性により、裏表の面や内部の孔の表面を自由に伝わって流下する。
【００２１】
光触媒坦持体15にはシュートタンク14から所定量の被処理水Ｗが注がれ、光触媒坦持体21の両側と内部の表面を流下する被処理水Ｗを数ミリメートルの薄い液膜の濡れ壁状とする。
【００２２】
光触媒坦持体15の直下でメインタンク３上に水平方向に細長い受タンク16を設け、受タンク16は光触媒坦持体21から流下する処理済水Waを受けて集める。回転台３上であって、軸芯４の延長線６上のメインタンク12下方にサブタンク17を設け、受タンク16の処理済水Waを直ちにサブタンク17に送るようにする。
【００２３】
サブタンク17には、その底面の軸芯４の延長線６上に設けた回転自在継手を介して送水ポンプ18を設け、送水ポンプ18は処理済水Waを送水する。なお、送水ポンプ18の作動は、サブタンク17の水位により作動するレベルスイッチにより、自動的にＯＮ，ＯＦＦする。
【００２４】
光触媒坦持体15の一側（図１の右側）に対向して反射鏡群20を回転台３上に設ける。光触媒坦持体15の反射鏡群20を設けない一側（図１の左側）は太陽光31の直射を受ける面となり、太陽光31の直射を充分に受けるよう何も設けないようにする。
【００２５】
反射鏡群20には、上下方向に３列、左右方向に３列の、計９枚の反射鏡21，21a，21b，22，22a，22b，23，23a，23bを設け、光触媒坦持体15に正対する中央列の反射鏡21，22，23は低位の反射鏡21から高位の反射鏡23になるほど光触媒坦持体15から遠い位置とする。
【００２６】
反射鏡21，22，23には各々回転台３上から支柱24，26，28を設け、支柱24，26，28の上端と反射鏡21，22，23の間に水平方向の軸芯25，27，29を設け、反射鏡21，22，23は軸芯25，27，29により自由に回転するよう支持しされる。
【００２７】
光触媒坦持体15に対して右側に位置する反射鏡21a，22a，23aや左側に位置する反射鏡21b，22b，23bも同様とする。
【００２８】
光触媒坦持体15の光触媒は太陽光31の紫外線により励起する。その光触媒坦持体15の一側（図１の左側）を太陽光31の直射を受ける面とし、光触媒坦持体15のもう一側（図１の右側）を反射鏡群20により太陽光31の反射光32を受ける面とする。
【００２９】
太陽光31の直射を受ける光触媒坦持体15の面を太陽の方位に一致させるよう回転台３を水平方向に回転させる。つまり、ここでは太陽の方位とは水平方向の角度とするが、光触媒坦持体15の面が太陽の方位に常に正対するよう、刻々と回転台３を回転させる。この回転台３の回転位置は、ほぼ時刻と相関があり、時刻に合わせて制御すると良い。
【００３０】
反射鏡群20により太陽光31の反射光32を受ける面において、光触媒坦持体15に正対する中央列の反射鏡21，22，23は、光触媒坦持体15の面を太陽の方位に一致させるよう回転台３を回転させることにより、太陽の方位に一致する。
【００３１】
また、右側に位置する反射鏡21a，22a，23aや左側に位置する反射鏡21b，22b，23bも、太陽の方位と光触媒坦持体15の方位との中間の方位にその面を向け、所定の水平方向の角度で回転台３に配置することにより、反射光32の方位が常に光触媒坦持体15に向かう。
【００３２】
太陽光31の入射角と光触媒坦持体15の位置とに合わせて反射光32が光触媒坦持体15に当たるよう反射鏡21，21a，21b，22，22a，22b，23，23a，23bを上下方向に回転させる。つまり、ここでは太陽光31の入射角とは水平面から太陽の高さ方向の角度とするが、反射鏡21，21a，21b，22，22a，22b，23，23a，23bを太陽の入射角と光触媒坦持体15の高さ方向の角度との中間の角度にその面を向けるよう上下方向に回転させる。太陽光31の入射角はほぼ時刻と季節とに相関があり、その時刻と季節とに合わせて制御すると良い。
【００３３】
以上の実施例では、光触媒坦持体15としてセラミックス質の多孔性基材の坦持体により、被処理水Ｗがその両側と内部を流下する例を示したが、無孔の平板の両面に光触媒を塗布したものなどのように、その両側のみを流下するようにしても良い。
【００３４】
また、複数枚の平板状の反射鏡群20を球面状に配置した例を示したが、反射鏡は一枚の大きな凹面鏡としても良い。
【００３５】
また、光触媒坦持体15が方形の板壁状のものによる例を示したが、太陽光31の紫外線は反射鏡を大きくして集めた方が効率も良いので、光触媒坦持体の平面視で反射鏡の方に凸な曲面として反射鏡と正対させるようにしても良い。
【００３６】
また、太陽光31の紫外線のみを用いる例を示したが、夜間電力などによる紫外線光源を合わせて用いるようにしても良い。
【００３７】
また、光触媒坦持体15を一枚用いた例を示したが、厳密な清浄度を要求する場合には複数枚の光触媒坦持体15により多段の連続装置とすることができ、その場合には最終段に近づくに従い清浄度が増すことになる。
【００３８】
また、光触媒坦持体15としてセラミックス質の多孔性基材のものを示したが、アルミ繊維やガラス繊維基材のもの、その他の金属繊維基材（ステンレスなど）や植物繊維基材あるいは合成繊維基材などを用いても良い。
【図面の簡単な説明】
【００３９】
【図１】太陽光を用いた水処理装置の一実施例を示す正面図である。
【図２】その平面図である。
【符号の説明】
【００４０】
１  水処理装置
３  回転台
４  軸芯
15  光触媒坦持体
21，22，23  反射鏡
25，27，29  軸芯
31  太陽光
32  反射光
Ｗ  被処理水
【図１】
2006000688.tif 000003
【図２】
2006000688.tif 000004
【手続補正書】
【提出日】平成17年1月12日(2005.1.12)
【手続補正１】
【補正対象書類名】特許請求の範囲
【補正対象項目名】全文
【補正方法】変更
【補正の内容】
【特許請求の範囲】
【請求項１】
ほぼ垂直に設けた光触媒を担持した光触媒担持体の表面を流下する被処理水と、光触媒を励起する太陽光とによる水処理装置において、光触媒担持体の表面を流下する被処理水を光触媒担持体の両側または両側と内部を流下する薄い液膜の濡れ壁状とし、その光触媒担持体の一側を太陽光の直射を受ける面とし、光触媒担持体のもう一側を反射鏡により太陽光の反射光を受ける面とした太陽光を用いた水処理装置。
【請求項２】
垂直方向を軸芯として自由に回転する回転台上に光触媒担持体と反射鏡を設け、太陽光の直射を受ける光触媒担持体の面を太陽の方位に一致させるよう回転台を水平方向に回転させ、反射鏡は水平方向を軸芯として自由に回転するよう支持し、太陽光の入射角と光触媒担持体の位置とに合わせて反射光が光触媒担持体に当たるよう反射鏡を上下方向に回転させる請求項１記載の太陽光を用いた水処理装置。
【手続補正２】
【補正対象書類名】明細書
【補正対象項目名】全文
【補正方法】変更
【補正の内容】
【発明の詳細な説明】
【技術分野】
【０００１】
本発明は、光触媒を用いて水に溶け込んだ有害化学物質や有機物を分解して無害化し、ウィルスなどを殺菌する水処理装置に関し、特に光触媒担持体とその光触媒を励起する紫外線光源としての太陽光の配置に関する。
【背景技術】
【０００２】
従来、酸化チタンなどの光触媒に太陽光の紫外線を当てて励起させてＯＨラジカルを生成し、その活性化した光触媒に被処理水を接触させて汚染物質を分解し、無害化や殺菌をする水処理装置は知られている。
【０００３】
太陽光の紫外線を利用するものは、紫外線光源（ブラックライト、水銀灯など）を利用するものに比べ、電気代が少なくランニングコストが安くなり、大量の水を浄化するのに適している。
【０００４】
そのような水処理装置では、被処理水の層が厚いと、紫外線が被処理水に吸収されて光触媒に届きにくくなるため、被処理水を薄い液膜として流すようにして、太陽の紫外線が光触媒まで届くようにしたものが知られている。
【０００５】
例えば、特開平６−１８２３６３号公報には、酸化チタンを表面に有する水平方向の排水受部内に排水を入れ、日光などの波動エネルギーを有する電磁波を照射する技術が示されている。
【特許文献１】特開平６−１８２３６３号公報
【発明の開示】
【発明が解決しようとする課題】
【０００６】
前記、特開平６−１８２３６３号公報に示される技術では、水平方向の排水受部で水処理しようとするものであり、より多くの水を処理しようとすると、それだけ広い面積の設置場所を必要とする。
【０００７】
また、単なる平板に光触媒を塗布したものより、セラミックス質の多孔性基材の担持体に光触媒を担持させた方が表面積も大きく、被処理水が光触媒に接触する機会も増えるが、そのような多孔性基材の光触媒担持体のように所定の厚みがあるものに一側から太陽光を当てても奥まで届かず、光触媒が充分に励起されない。
【０００８】
そこで本発明は、設置場所の面積を多く必要とせず、光触媒担持体の両面に太陽光の紫外線が当たり分解の効率が高い、太陽光を用いた水処理装置を提供することを目的とする。
【課題を解決するための手段】
【０００９】
請求項１の発明による太陽光を用いた水処理装置は、ほぼ垂直に設けた光触媒を担持した光触媒担持体15の表面を流下する被処理水Ｗと、光触媒を励起する太陽光31とによる水処理装置１において、光触媒担持体15の表面を流下する被処理水Ｗを光触媒担持体15の両側または両側と内部を流下する薄い液膜の濡れ壁状とし、その光触媒担持体15の一側を太陽光31の直射を受ける面とし、光触媒担持体15のもう一側を反射鏡21，22，23により太陽光31の反射光32を受ける面としたものである。
【００１０】
請求項２の発明による太陽光を用いた水処理装置は、垂直方向を軸芯４として自由に回転する回転台３上に光触媒担持体15と反射鏡21，22，23を設け、太陽光31の直射を受ける光触媒担持体15の面を太陽の方位に一致させるよう回転台３を水平方向に回転させ、反射鏡21，22，23は水平方向を軸芯25，27，29として自由に回転するよう支持し、太陽光31の入射角と光触媒担持体15の位置とに合わせて反射光32が光触媒担持体15に当たるよう反射鏡21，22，23を上下方向に回転させるものである。
【発明の効果】
【００１１】
請求項１の発明によれば、ほぼ垂直に設けた光触媒を担持した光触媒担持体15の表面を流下する被処理水Ｗと、光触媒を励起する太陽光31とによる水処理装置１において、光触媒担持体15の表面を流下する被処理水Ｗを光触媒担持体15の両側または両側と内部を流下する薄い液膜の濡れ壁状としたから、平面視の面積が小さくなり、装置の設置場所の面積を多く必要としない。
【００１２】
また、光触媒担持体15の表面を流下する被処理水Ｗを光触媒担持体15の両側または両側と内部を流下する薄い液膜の濡れ壁状とし、その光触媒担持体15の一側を太陽光31の直射を受ける面とし、光触媒担持体15のもう一側を反射鏡21，22，23により太陽光31の反射光32を受ける面としたから、光触媒担持体15の両面に太陽光31の紫外線が当たり、汚染物質の分解の効率が高くなる。
【００１３】
請求項２の発明によれば、垂直方向を軸芯４として自由に回転する回転台３上に光触媒担持体15と反射鏡21，22，23を設け、太陽光31の直射を受ける光触媒担持体15の面を太陽の方位に一致させるよう回転台３を水平方向に回転させ、反射鏡21，22，23は水平方向を軸芯25，27，29として自由に回転するよう支持し、太陽光31の入射角と光触媒担持体15の位置とに合わせて反射光32が光触媒担持体15に当たるよう反射鏡21，22，23を上下方向に回転させるから、太陽が昇ってから沈むまでより多くの紫外線を利用でき、汚染物質の分解処理量を多くできる。
【発明を実施するための最良の形態】
【００１４】
設置場所の面積を多く必要とせず、光触媒担持体15の両面に太陽光31の紫外線が当たり分解の効率が高い、太陽光31を用いた水処理装置１を提供するという目的を、ほぼ垂直に設けた光触媒を担持した光触媒担持体15の表面を流下する被処理水Ｗと、光触媒を励起する太陽光31とによる水処理装置１において、光触媒担持体15の表面を流下する被処理水Ｗを光触媒担持体15の両側または両側と内部を流下する薄い液膜の濡れ壁状とし、その光触媒担持体15の一側を太陽光31の直射を受ける面とし、光触媒担持体15のもう一側を反射鏡21，22，23により太陽光31の反射光32を受ける面として実現した。
【実施例１】
【００１５】
図１は、本発明の一実施例に係る水処理装置１の正面図であって、水処理装置１には装置基部の基台２と、基台２の上に回転台３を設け、回転台３上に光触媒担持体15と反射鏡群20を設ける。
【００１６】
基台２の一側上に垂直方向の軸芯４を設け、回転台３は軸芯４に取り付けられ、軸芯４を中心として水平方向に自由に回転する。基台２のもう一側上に複数の受け輪５を設け、受け輪５は回転台３の水平方向への回転を妨げないよう回転して支持する。
【００１７】
回転台３上であって、軸芯４の延長線６上にメインタンク12を設け、メインタンク12には給水ポンプ11により被処理水Ｗが軸芯４の延長線６上から供給される。なお、給水ポンプ11の作動は、メインタンク12の水位により作動するレベルスイッチにより、自動的にＯＮ，ＯＦＦする。
【００１８】
メインタンク12に連設して定量給送ポンプ13を設け、メインタンク12の上方に水平方向に細長いシュートタンク14を設け、定量給送ポンプ13はメインタンク12から上方のシュートタンク14に定量の被処理水Ｗを送る。
【００１９】
光触媒担持体15は、メインタンク12上からシュートタンク14にかけてほぼ垂直に設けられた方形の板壁状のものであり、シュートタンク14は光触媒担持体15の上部に位置し、シュートタンク14の被処理水Ｗはそのシュートにより光触媒担持体15の上部に注がれ、光触媒担持体15の表面を流下する。
【００２０】
光触媒担持体15は、セラミックス質の多孔性基材の担持体に酸化チタンなどの光触媒（光反応性半導体）を担持させた、所定の厚みがあり硬質のものである。被処理水Ｗは光触媒担持体15の多孔性により、裏表の面や内部の孔の表面を自由に伝わって流下する。
【００２１】
光触媒担持体15にはシュートタンク14から所定量の被処理水Ｗが注がれ、光触媒担持体21の両側と内部の表面を流下する被処理水Ｗを数ミリメートルの薄い液膜の濡れ壁状とする。
【００２２】
光触媒担持体15の直下でメインタンク３上に水平方向に細長い受タンク16を設け、受タンク16は光触媒担持体21から流下する処理済水Waを受けて集める。回転台３上であって、軸芯４の延長線６上のメインタンク12下方にサブタンク17を設け、受タンク16の処理済水Waを直ちにサブタンク17に送るようにする。
【００２３】
サブタンク17には、その底面の軸芯４の延長線６上に設けた回転自在継手を介して送水ポンプ18を設け、送水ポンプ18は処理済水Waを送水する。なお、送水ポンプ18の作動は、サブタンク17の水位により作動するレベルスイッチにより、自動的にＯＮ，ＯＦＦする。
【００２４】
光触媒担持体15の一側（図１の右側）に対向して反射鏡群20を回転台３上に設ける。光触媒担持体15の反射鏡群20を設けない一側（図１の左側）は太陽光31の直射を受ける面となり、太陽光31の直射を充分に受けるよう何も設けないようにする。
【００２５】
反射鏡群20には、上下方向に３列、左右方向に３列の、計９枚の反射鏡21，21a，21b，22，22a，22b，23，23a，23bを設け、光触媒担持体15に正対する中央列の反射鏡21，22，23は低位の反射鏡21から高位の反射鏡23になるほど光触媒担持体15から遠い位置とする。
【００２６】
反射鏡21，22，23には各々回転台３上から支柱24，26，28を設け、支柱24，26，28の上端と反射鏡21，22，23の間に水平方向の軸芯25，27，29を設け、反射鏡21，22，23は軸芯25，27，29により自由に回転するよう支持しされる。
【００２７】
光触媒担持体15に対して右側に位置する反射鏡21a，22a，23aや左側に位置する反射鏡21b，22b，23bも同様とする。
【００２８】
光触媒担持体15の光触媒は太陽光31の紫外線により励起する。その光触媒担持体15の一側（図１の左側）を太陽光31の直射を受ける面とし、光触媒担持体15のもう一側（図１の右側）を反射鏡群20により太陽光31の反射光32を受ける面とする。
【００２９】
太陽光31の直射を受ける光触媒担持体15の面を太陽の方位に一致させるよう回転台３を水平方向に回転させる。つまり、ここでは太陽の方位とは水平方向の角度とするが、光触媒担持体15の面が太陽の方位に常に正対するよう、刻々と回転台３を回転させる。この回転台３の回転位置は、ほぼ時刻と相関があり、時刻に合わせて制御すると良い。
【００３０】
反射鏡群20により太陽光31の反射光32を受ける面において、光触媒担持体15に正対する中央列の反射鏡21，22，23は、光触媒担持体15の面を太陽の方位に一致させるよう回転台３を回転させることにより、太陽の方位に一致する。
【００３１】
また、右側に位置する反射鏡21a，22a，23aや左側に位置する反射鏡21b，22b，23bも、太陽の方位と光触媒担持体15の方位との中間の方位にその面を向け、所定の水平方向の角度で回転台３に配置することにより、反射光32の方位が常に光触媒担持体15に向かう。
【００３２】
太陽光31の入射角と光触媒担持体15の位置とに合わせて反射光32が光触媒担持体15に当たるよう反射鏡21，21a，21b，22，22a，22b，23，23a，23bを上下方向に回転させる。つまり、ここでは太陽光31の入射角とは水平面から太陽の高さ方向の角度とするが、反射鏡21，21a，21b，22，22a，22b，23，23a，23bを太陽の入射角と光触媒担持体15の高さ方向の角度との中間の角度にその面を向けるよう上下方向に回転させる。太陽光31の入射角はほぼ時刻と季節とに相関があり、その時刻と季節とに合わせて制御すると良い。
【００３３】
以上の実施例では、光触媒担持体15としてセラミックス質の多孔性基材の担持体により、被処理水Ｗがその両側と内部を流下する例を示したが、無孔の平板の両面に光触媒を塗布したものなどのように、その両側のみを流下するようにしても良い。
【００３４】
また、複数枚の平板状の反射鏡群20を球面状に配置した例を示したが、反射鏡は一枚の大きな凹面鏡としても良い。
【００３５】
また、光触媒担持体15が方形の板壁状のものによる例を示したが、太陽光31の紫外線は反射鏡を大きくして集めた方が効率も良いので、光触媒担持体の平面視で反射鏡の方に凸な曲面として反射鏡と正対させるようにしても良い。
【００３６】
また、太陽光31の紫外線のみを用いる例を示したが、夜間電力などによる紫外線光源を合わせて用いるようにしても良い。
【００３７】
また、光触媒担持体15を一枚用いた例を示したが、厳密な清浄度を要求する場合には複数枚の光触媒担持体15により多段の連続装置とすることができ、その場合には最終段に近づくに従い清浄度が増すことになる。
【００３８】
また、光触媒担持体15としてセラミックス質の多孔性基材のものを示したが、アルミ繊維やガラス繊維基材のもの、その他の金属繊維基材（ステンレスなど）や植物繊維基材あるいは合成繊維基材などを用いても良い。
【図面の簡単な説明】
【００３９】
【図１】太陽光を用いた水処理装置の一実施例を示す正面図である。
【図２】その平面図である。
【符号の説明】
【００４０】
１  水処理装置
３  回転台
４  軸芯
15  光触媒担持体
21，22，23  反射鏡
25，27，29  軸芯
31  太陽光
32  反射光
Ｗ  被処理水